(57)【要約】【課題】受領票、等に記載する顧客データと、中身（ギフトカタログ等）と同梱する申込ハガキにあらかじめ記載する顧客データを一致させることができる配送用梱包媒体一式の提供。【解決手段】  受領票と申込ハガキと台紙とそれらを中身とともに梱包するための梱包用封筒とを具備する配送用梱包媒体一式であって、前記梱包用封筒は前記梱包された前記受領票を取出すための受領票取出口を有し、前記受領票は前記受領票取出口から取出せるように前記台紙に丁合され、前記申込ハガキは前記台紙を兼ねて一体で所定の領域に形成され、すくなくともその宛先と顧客住所氏名が印刷されており、前記台紙は前記梱包したときに前記梱包用封筒との位置関係を保持するようにした配送用梱包媒体一式。【選択図】      図１
2005350068.tif 000002
【特許請求の範囲】
【請求項１】
受領票と申込ハガキと台紙とそれらを中身とともに梱包するための梱包用封筒とを具備する配送用梱包媒体一式であって、
前記梱包用封筒は前記梱包された前記受領票を取出すための受領票取出口を有し、
前記受領票は前記受領票取出口から取出せるように前記台紙に丁合され、
前記申込ハガキは前記台紙を兼ねて一体で所定の領域に形成され、すくなくともその宛先と顧客住所氏名が印刷されており、
前記台紙は前記梱包したときに前記梱包用封筒との位置関係を保持する、
ことを特徴とする配送用梱包媒体一式。
【請求項２】
請求項１記載の配送用梱包媒体一式において、前記申込ハガキには顧客管理用のＩＤ番号および／またはバーコードが印字されていることを特徴とする配送用梱包媒体一式。
【請求項３】
請求項１または２記載の配送用梱包媒体一式において、前記梱包用封筒は宛先用窓を有し、前記台紙は宛先領域を有し、前記梱包したときに前期宛名用窓の外側から前記宛先領域を読取れる配置とすることを特徴とする配送用梱包媒体一式。
【請求項４】
請求項１〜３のいずれかに記載の配送用梱包媒体一式において、前記受領票取出口は前記梱包用封筒の用紙における２つの辺を重ね合わせて仮接着した構成となっており、前記２つの辺を剥がすことにより前記仮接着が破壊され前記受領票取出口が開口することを特徴とする配送用梱包媒体一式。
【請求項５】
請求項１〜４のいずれかに記載の配送用梱包媒体一式において、前記受領票はその切取線側の辺と前記台紙の辺とにおいて丁合され、前記受領票の前記丁合側と反対側の辺は前記受領票取出口を開いたときに露出することを特徴とする配送用梱包媒体一式。
【発明の詳細な説明】
【技術分野】
【０００１】
本発明は物品を配送するための包装体の技術分野に属する。特に、中身とともに梱包した受領票を配送先で取出すための特殊構造を有する配送用梱包媒体一式に関する。
【背景技術】
【０００２】
冠婚葬祭などの引き出物としてカタログギフトを送付することが行われる。ギフトを受ける顧客は、カタログの中から好みの品物を自由に楽しみながら選ぶことができる。品物のオーダーは同梱された申込ハガキに、すくなくとも選んだ品物名を記入して所定の宛先に送付することにより行われる。オーダーすると、後日配送によりギフトの実物を手に入れることができる。
【０００３】
このように申込ハガキはカタログとともに同梱し宅配便などで送付することが行われている。宅配便においては配達伝票を包装外面に貼付するため、梱包してしまう申込ハガキには配達伝票と連結（リンク）した顧客データをあらかじめプリントしておくことができない。申込ハガキの顧客データ部分を空欄とすると、顧客は住所、氏名、等を記入する手間がかかる。また、ギフト発送時にカタログを送付したときのデータと連結することができない。
【０００４】
一方、宛名台紙と一体化して窓空き封筒にカタログと一緒に封入する方法もある。しかし、この方法では配達伝票の中で少なくとも配達時に受取る必要性のある受領票を別途用意する必要があるため、受領票と顧客データとの連結ができない。
また、専用梱包封筒の一部を申込ハガキとして一体化して顧客データをプリントし、顧客データと連結する方法もある（特許文献１）。しかし、封筒開封時に申込ハガキを破損し易いこと、申込ハガキ自体の有無判別がし難いこと、封筒の材質を申込ハガキの材質（斤量、等）に合わせる必要性があること、等の問題点がある。
【特許文献１】特開２００２−１２７６４４
【発明の開示】
【発明が解決しようとする課題】
【０００５】
本発明の目的は、中身（ギフトカタログ等）の配達伝票、宛先欄、受領票、等に記載する顧客データと、中身と同梱する申込ハガキにあらかじめ記載する顧客データを一致させることができる配送用梱包媒体一式を提供することにある。これにより、顧客は住所、氏名、等を申込ハガキに記入する手間が掛からず、ギフトセンターはギフト発送時にカタログを発送したときのデータと連結することができ、配達時に受取る必要性のある受領票を別途用意する必要がなく、封筒開封時に申込ハガキを破損することがなく、申込ハガキ自体の有無判別がし難いということがなく、封筒の材質を申込ハガキの材質に合わせる必要性がなくなる。
【課題を解決するための手段】
【０００６】
本発明の請求項１に係る配送用梱包媒体一式は、受領票と申込ハガキと台紙とそれらを中身とともに梱包するための梱包用封筒とを具備する配送用梱包媒体一式であって、前記梱包用封筒は前記梱包された前記受領票を取出すための受領票取出口を有し、前記受領票は前記受領票取出口から取出せるように前記台紙に丁合され、前記申込ハガキは前記台紙を兼ねて一体で所定の領域に形成され、すくなくともその宛先と顧客住所氏名が印刷されており、前記台紙は前記梱包したときに前記梱包用封筒との位置関係を保持するようにしたものである。
また本発明の請求項２に係る配送用梱包媒体一式は、請求項１に係る配送用梱包媒体一式において、前記申込ハガキには顧客管理用のＩＤ番号および／またはバーコードが印字されているようにしたものである。
また本発明の請求項３に係る配送用梱包媒体一式は、請求項１または２に係る配送用梱包媒体一式において、前記梱包用封筒は宛先用窓を有し、前記台紙は宛先領域を有し、前記梱包したときに前期宛名用窓の外側から前記宛先領域を読取れる配置とするようにしたものである。
また本発明の請求項４に係る配送用梱包媒体一式は、請求項１〜３のいずれかに係る配送用梱包媒体一式において、前記受領票取出口は前記梱包用封筒の用紙における２つの辺を重ね合わせて仮接着した構成となっており、前記２つの辺を剥がすことにより前記仮接着が破壊され前記受領票取出口が開口するようにしたものである。
また本発明の請求項５に係る配送用梱包媒体一式は、請求項１〜４のいずれかに係る配送用梱包媒体一式において、前記受領票はその切取線側の辺と前記台紙の辺とにおいて丁合され、前記受領票の前記丁合側と反対側の辺は前記受領票取出口を開いたときに露出するようにしたものである。
【発明の効果】
【０００７】
本発明の請求項１に係る配送用梱包媒体一式によれば、受領票は台紙に丁合され、すくなくともその宛先と顧客住所氏名が印刷されている申込ハガキは台紙を兼ねて一体で所定の領域に形成される。すなわち受領票と申込ハガキと台紙が一体化されるから、各々に記載（印刷）される顧客データの連結が容易である。一方、梱包用封筒は受領票取出口を有し台紙は梱包したときに梱包用封筒との位置関係を保持するから受領票と受領票取出口との位置関係も保持され配達先において受領票を受領票取出口から取出せる。したがって、中身（ギフトカタログ等）の配達伝票、宛先欄、受領票、等に記載する顧客データと、中身と同梱する申込ハガキにあらかじめ記載する顧客データを一致させることができる配送用梱包媒体一式が提供される。これにより、顧客は住所、氏名、等を申込ハガキに記入する手間が掛からず、配達時に受取る必要性のある受領票を別途用意する必要がなく、封筒開封時に申込ハガキを破損することがなく、申込ハガキ自体の有無判別がし難いということがなく、封筒の材質を申込ハガキの材質に合わせる必要性がなくなる。
また本発明の請求項２に係る配送用梱包媒体一式によれば、申込ハガキには顧客管理用のＩＤ番号および／またはバーコードが印字されている。したがって、ギフトセンター等においてはギフト発送時にカタログを発送したときのデータ（データベース等のデータ）と連結し顧客管理、ログ情報の収集、等を行うことができる。
また本発明の請求項３に係る配送用梱包媒体一式によれば、梱包用封筒は宛先用窓を有し、台紙は宛先領域を有し、梱包したときに宛名用窓の外側から宛先領域を読取れる配置となる。したがって、中身の配達先の記載（印刷）を申込ハガキの記載（印刷）と同時に行うことができ顧客データを一致させることができる。
また本発明の請求項４に係る配送用梱包媒体一式によれば、受領票取出口は梱包用封筒の用紙における２つの辺を重ね合わせて仮接着した構成となっており、２つの辺を剥がすことにより仮接着が破壊され受領票取出口が開口する。したがって、配達先まで受領票取出口は確実に閉じられ配達先で受領票取出口を容易に開くことができる。
また本発明の請求項５に係る配送用梱包媒体一式によれば、受領票はその切取線側の辺と台紙の辺とにおいて丁合され、受領票の丁合側と反対側の辺は受領票取出口を開いたときに露出する。したがって、配達先で受領票を容易に取出すことができる。
【発明を実施するための最良の形態】
【０００８】
本発明に係る配送用梱包媒体一式について図１〜図３を参照して説明する。まず図１、図２に基づいて配送用梱包媒体一式の構成について説明する。図１は本発明に係る配送用梱包媒体一式の中で受領票、台紙、申込ハガキ等の形態を示す説明図である。図２は本発明に係る配送用梱包媒体一式の中で梱包用封筒の形態を示す説明図である。図１〜図３において、１は受領票、１１は受領印欄、１２は宛先欄、１３は丁合部、１４はミシン目、１５は摘要欄、２は台紙、２１は申込ハガキ、２２は宛先欄、２３は丁合部、２４はミシン目、３は梱包用封筒、３１は宛先窓、３２は受領票取出口、３３は仮接着部、１００は中身（ギフトカタログ等）である。
【０００９】
受領票１は、図１に示すように、通常は長方形（たとえば１０ｃｍ×２０ｃｍ程度）の形状を有する薄手の用紙を材料とする。受領票１には、配送先で配達員が配達先の顧客から受領印を捺印して貰うための受領印欄１１、配達先の顧客の住所、氏名が印刷等により記載されている宛先欄１２、配送依頼主、配送物品名、伝票番号、その他の必要事項が印刷等により記載されている摘要欄１５を有する。
【００１０】
また、長方形の受領票１における１つの辺には丁合部１３が存在する。台紙２における１つの辺にも丁合部２３が存在する。受領票１の丁合部１３と台紙２の丁合部２３は糊付け等により固着される。すなわち受領票１と台紙２は丁合され一体となっている。
【００１１】
受領票１における丁合部１３の内側の直近には、丁合部１３の辺と平行にミシン目１４が設けられている。すなわちミシン目１４を境界として一方の側に合部１３が存在し、他方の側に受領印欄１１、宛先欄１２、摘要欄１５、等が設けられた受領票の部分が存在する。ミシン目１４は、台紙２と丁合された受領票１を配達先において配達員が分離するために切り取る作業を容易にするためのものである。すなわち受領票１はその丁合部１３を残してミシン目１４の部分において切り取ることができる。
【００１２】
台紙２は、通常は長方形の形状を有する厚手の用紙を材料とする。台紙は梱包用封筒３の内側寸法よりも少し小さい外側寸法を有する。したがって、梱包用封筒３に梱包したときに梱包用封筒３との位置関係を保持することができる。台紙２には申込ハガキ２１の領域が存在する。したがって、台紙２の材料はハガキとして使用することができる用紙である。申込ハガキ２１は顧客が中身１００（ギフトカタログ等）を見て、たとえば、ギフトとして受取る物品を選択しその名称や物品番号等を記入し、ギフトセンター等に送付するためハガキである。
【００１３】
申込ハガキ２１にはすくなくともその宛先と顧客住所氏名が印刷されている。また申込ハガキ２１に顧客管理用のＩＤ番号、バーコードも印刷することができる。顧客管理用のＩＤ番号、バーコード等を印刷することでギフトセンター等においてはギフト発送時にギフトカタログを発送したときのデータ（データベース等のデータ）と連結し顧客管理、ログ情報の収集、等を行うことができる。
【００１４】
図１に示すように、申込ハガキ２１の領域を申込ハガキ２１の２辺と長方形の台紙２における２辺とが一致するような領域とすると、台紙２から申込ハガキ２１を切り取るとき他の２辺を切り取るだけで済み作業を容易にする。ミシン目２４は申込ハガキ２１の他の２辺に沿って設けられたミシン目２４である。申込ハガキ２１はミシン目２４に沿って台紙２から切り取ることができ、ミシン目２４に沿って切り取ったときに所定の規定されたハガキの寸法となる。
【００１５】
台紙２には宛先欄２２が存在する。宛先欄２２は、台紙２と丁合した受領票１および台紙２に形成した申込ハガキ２１とは干渉を起こさない領域に設けられる。図１に示す一例においては台紙２のほぼ中央の領域に設けられている。宛先欄２２には本発明に係る配送用梱包媒体一式と中身１００の配達先の住所、氏名（名称）、配達物品のＩＤ番号（伝票番号、発送番号）、等が印刷等により記載される。宛先欄２２は台紙２を梱包用封筒３に梱包したときに梱包用封筒３に設けられた宛先窓３１の外側から宛先欄２２を読取れる配置となっている。
【００１６】
長方形の台紙２における１つの辺には丁合部２３が存在する。すでに説明したように、受領票１における１つの辺にも丁合部１３が存在する。台紙２の丁合部２３と受領票１の丁合部１３は糊付け等により固着される。すなわち台紙２と受領票１は丁合され一体となっている。
【００１７】
梱包用封筒３は通常のマチ無しの角封筒、厚さを有する中身１００を梱包できるマチ付の角封筒、または同様形状のダンボール箱、等である。すなわち、梱包用封筒３は受領票１と台紙２と中身１００を梱包するものであれば特に厚さ、形状、材料、等についての限定はない。梱包用封筒３には、図２に示すように、宛先窓３１、受領票取出口３２、仮接着部３３が設けられている。
【００１８】
宛先窓３１は台紙２における宛先欄２２に記載された事柄を外側から読取れるようにした窓である。たとえば、宛先窓３１は梱包用封筒３のその領域を切り取って開口させ透明なプラスチックフィルム（硬質塩化ビニールフィルム、等）を貼り付けたものである。宛先窓３１は台紙２を梱包用封筒３に梱包したときに台紙２に設けられ宛先欄２２を宛先窓３１の外側から読取れる配置となっている。
【００１９】
受領票取出口３２は梱包用封筒３の表面（宛先欄２２が設けられた面）に設けられる。図２（Ｂ）の断面図に示すように、梱包用封筒３における表面は２枚の用紙から成り、受領票取出口３２においては、それら２枚の用紙における２つの辺が重なり合う構成となっている。そして２つの辺が重なり合う部位が仮接着部３３である。
【００２０】
仮接着部３３は、易剥離性の接着剤で接着されている。または通常の接着剤で要所だけが接着されている。すなわち、通常の配送過程における取り扱いにおいては仮接着部３３が自然に剥がれることはない。しかし、人が故意に剥がそうとするときには容易に仮接着部３３において剥がすことができる。受領票取出口３２には仮接着部３３が存在するから、仮接着部３３が接着しているときには受領票取出口３２が閉じている。一方、仮接着部３３がはがされたときには受領票取出口３２が開かれる。
【００２１】
以上の構成において、次に本発明の配送用梱包媒体一式における動作（使用方法）について図３を参照して説明する。図３は本発明に係る配送用梱包媒体一式によって中身を梱包した状態（Ａ）および受領票取出口を開いた状態（Ｂ）を示す説明図（断面図）である。
まず、受領票１における固定印刷部分を印刷する。また台紙２についても固定印刷部分、たとえば申込ハガキ２１の宛先、顧客が選択しその名称や物品番号等を記入するための記入欄、等を印刷する。
次に、受領票１と台紙２を丁合する。
【００２２】
次に、丁合した受領票１と台紙２において可変印刷部分を印刷する。たとえば宛先欄１２，２２、摘要欄１５、申込ハガキ２１、等における顧客によって変化する顧客データに係わる部分を印刷する。受領票１と台紙２が丁合いされているからこの印刷を同時に行うことができる。そのため、宛先欄１２，２２、受領票１、等に記載する顧客データと、中身１００と同梱する申込ハガキ２１にあらかじめ記載する顧客データを一致させることが容易であり、また一致しないという誤りを起こすことがなくなる。
【００２３】
次に、丁合された受領票１と台紙２、および中身１００（ギフトカタログ等）を梱包用封筒３に梱包する。図３（Ａ）に示すように、受領票１と台紙２は梱包用封筒３における表面の用紙に密着するように、そして受領票１が梱包用封筒３の底側となるように配置される。このとき受領票１における丁合部１３の反対側の辺が梱包用封筒３における受領票取出口３２の近くに配置される。中身１００は受領票１と台紙２の下側の配置となるように梱包されている。仮接着部３３は仮接着の状態となっている。
【００２４】
次に、梱包された中身１００はギフトセンター等から顧客に配送される。配送における取り扱いにおいては、配送用梱包媒体一式によって図３（Ａ）に示す状態は保持される。
次に、梱包された中身１００は配達員によって顧客に配達される。配達員は配達先の受取人が顧客に間違いがないか確かめた上で、受領票取出口３２の表紙の辺を引き開らく。図３（Ｂ）に示すように、このとき、仮接着部３３は容易に破壊される受領票取出口３２は開口する。
【００２５】
次に、配達員は受領票１の丁合されている辺の反対側の辺を掴んで引き、ミシン目１４の部位において受領票１を切り離す。そして、配達員は顧客から受領票１に受領印を捺印してもらい、その受領証１を受取って配送作業を終了する。配送された配送用梱包媒体一式における台紙２は顧客に残るから、顧客は配送に係わる情報、たとえば、宛先、送り主、伝票番号、等を知ることができる。
【図面の簡単な説明】
【００２６】
【図１】本発明に係る配送用梱包媒体一式の中で受領票、台紙、申込ハガキ等の形態を示す説明図である。
【図２】本発明に係る配送用梱包媒体一式の中で梱包用封筒の形態を示す説明図である。
【図３】本発明に係る配送用梱包媒体一式によって中身を梱包した状態（Ａ）および受領票取出口を開いた状態（Ｂ）を示す説明図（断面図）である。
【符号の説明】
【００２７】
１  受領票
１１  受領印欄
１２  宛先欄
１３  丁合部
１４  ミシン目
１５  摘要欄
２  台紙
２１  申込ハガキ
２２  宛先欄
２３  丁合部
２４  ミシン目
３  梱包用封筒
３１  宛先窓
３２  受領票取出口
３３  仮接着部
１００  中身（ギフトカタログ等）
【図１】
2005350068.tif 000003
【図２】
2005350068.tif 000004
【図３】
2005350068.tif 000005